(57)【特許請求の範囲】
【請求項１】
レンズモジュールであって、
ベースと、前記ベースに固定される、レンズを有するレンズホルダーと、前記レンズホルダーを支持するための支持ユニットと、前記レンズホルダーが前記レンズの光軸方向に垂直な方向に沿って運動するように駆動するための形状記憶合金線と、電気信号を供給するための回路基板とを備え、
前記レンズホルダーは、前記支持ユニットによって前記ベース内に吊り下げられ、前記形状記憶合金線は、末端及び駆動端を含み、前記駆動端は、前記レンズホルダーに接続され、前記レンズモジュールは、前記ベースに固定される導電部材を更に備え、前記導電部材は、前記ベースに取り付けられる固定部と、前記固定部の一方側に位置して前記形状記憶合金線の前記末端を接続するための接続部と、前記固定部の他方側に位置して前記回路基板と電気的に接続するための端子と、前記固定部と前記端子との間に接続される複数の折り曲げ部とを備え、前記ベースは、基板を備え、前記固定部は、前記レンズの光軸方向に沿って前記基板へ向かって設けられる第１表面を備え、前記端子は、前記レンズの光軸方向に沿って前記基板へ向かって設けられる第２表面を備え、前記第１表面と前記第２表面とは、夾角αをなし、前記夾角αは、９０度よりも大きいことを特徴とするレンズモジュール。
【請求項２】
前記夾角αは、１８０度であり、前記固定部の所在する平面は、前記端子の所在する平面に平行であり、且つ前記レンズの光軸方向に垂直であることを特徴とする請求項１に記載のレンズモジュール。
【請求項３】
前記ベースは、前記基板に固定される枠体を更に備え、前記基板と前記枠体は、前記レンズホルダーを収容するための収容空間を共同して形成し、前記導電部材は、前記枠体の前記基板へ向かう端に固定され、前記導電部材の前記固定部の前記基板へ向かう面と、前記端子の前記基板へ向かう面との間の距離は、０．５ｍｍよりも小さいことを特徴とする請求項２に記載のレンズモジュール。
【請求項４】
前記導電部材の前記固定部の前記基板へ向かう面と、前記端子の前記基板へ向かう面との間の距離は、０．２５ｍｍ以下であることを特徴とする請求項３に記載のレンズモジュール。
【請求項５】
前記接続部の前記端子から離間する端は、折り曲げて延在してフックを形成し、前記末端は、前記フック内に固定接続され、前記端子の一側には、溶接構造が設けられ、前記溶接構造と前記フックは、前記導電部材のレンズホルダーへ向かう内側に位置することを特徴とする請求項３に記載のレンズモジュール。
【請求項６】
前記接続部、前記固定部、前記折り曲げ部及び前記端子は、一体成形されることを特徴とする請求項５に記載のレンズモジュール。
【請求項７】
前記枠体は、四角形をなし、周方向に設けられる側板を４つ含み、前記側板の前記基板へ向かう端には、少なくとも１つの窪みが設けられ、前記導電部材は、前記窪み内に固定され、前記窪みは、固定段部と溶接段部を備え、前記固定部は、前記固定段部に取り付けられ、前記端子は、前記溶接段部に位置し、前記溶接構造と前記フックは、前記導電部材が固定される側板の前記レンズホルダーへ向かう内側に位置することを特徴とする請求項５に記載のレンズモジュール。
【請求項８】
前記レンズモジュールは、前記ベースにスリーブされるハウジングを更に備え、前記ハウジングは、天壁及び側壁を備え、前記側壁は、前記基板に固定され、前記側板の前記基板から離間する端は、前記天壁に接続されていることを特徴とする請求項７に記載のレンズモジュール。
【請求項９】
前記導電部材の光軸から離間する外側と、対応する側壁の光軸に近接する内側との間には、ピッチが設けられていることを特徴とする請求項８に記載のレンズモジュール。
【請求項１０】
前記ピッチの範囲は、０．０２ｍｍ〜０．０８ｍｍであることを特徴とする請求項９に記載のレンズモジュール。
【発明の詳細な説明】
【技術分野】
【０００１】
本発明は、レンズの光学結像技術分野に関し、特にレンズモジュールに関する。
【背景技術】
【０００２】
近年、スマートフォン、タブレットＰＣのような携帯型端末機器には、高性能のレンズモジュールが配備されている。当該高性能レンズモジュールは、一般的にオートフォーカス機能(Ａｕｔｏ Ｆｏｃｕｓｉｎｇ、ＡＦ)及び光学防振（Ｏｐｔｉｃａｌ Ｉｍａｇｅ Ｓｔａｂｉｌｉｚａｔｉｏｎ、ＯＩＳ）機能を有する。高性能レンズモジュールは、オートフォーカスのときに、レンズをレンズの光軸方向に沿って移動させ、光学防振機能を実施するときに、レンズをレンズの光軸方向に垂直な方向沿って移動させる。従来技術では、一般的に形状記憶合金線によってレンズホルダーを駆動してレンズの光軸方向に垂直な方向に沿って移動させることで、防振の目的を果たす。しかし、形状記憶合金線に対して固定役割を果たしながら給電する導電部材の、レンズの光軸方向に沿う高さが相対的に高いため、レンズモジュールの全体高さも高く、携帯型端末機器の軽量化・薄型化に不利である。
【０００３】
したがって、上記問題を解決するための改良型のレンズモジュールを提供する必要が生じる。
【発明の概要】
【発明が解決しようとする課題】
【０００４】
本発明の目的は、全体高さを低減するレンズモジュールを提供することにある。
【課題を解決するための手段】
【０００５】
本発明の解決手段は、以下のようになる。
本発明は、レンズモジュールを提供する。前記レンズモジュールは、ベースと、前記ベースに固定される、レンズを有するレンズホルダーと、前記レンズホルダーを支持するための支持ユニットと、前記レンズホルダーが前記レンズの光軸方向に垂直な方向に沿って運動するように駆動するための形状記憶合金線と、電気信号を供給するための回路基板とを備え、
前記レンズホルダーは、前記支持ユニットによって前記ベース内に吊り下げられ、前記形状記憶合金線は、末端及び駆動端を含み、前記駆動端は、前記レンズホルダーに接続され、前記レンズモジュールは、前記ベースに固定される導電部材を更に備え、前記導電部材は、前記ベースに取り付けられる固定部と、前記固定部の一方側に位置して前記形状記憶合金線の前記末端を接続するための接続部と、固定部の他方側に位置して前記回路基板と電気的に接続するための端子と、前記固定部と前記端子との間に接続される複数の折り曲げ部とを備え、前記端子と前記固定部とは、夾角αをなし、前記夾角αは、９０度よりも大きい。
【０００６】
更に、前記夾角αは、１８０度であり、前記固定部の所在する平面は、前記端子の所在する平面に平行であり、且つ前記レンズの光軸方向に垂直である。
【０００７】
更に、前記ベースは、基板と、前記基板に固定される枠体とを備え、前記基板と前記枠体は、前記レンズホルダーを収容するための収容空間を共同して形成し、前記導電部材は、前記枠体の前記基板へ向かう端に固定され、前記導電部材の前記固定部の前記基板へ向かう面と、前記端子の前記基板へ向かう面との間の距離は、０．５ｍｍよりも小さい。
【０００８】
更に、前記導電部材の前記固定部の前記基板へ向かう面と、前記端子の前記基板へ向かう面との間の距離は、０．２５ｍｍ以下である。
【０００９】
更に、前記接続部の前記端子から離間する端は、折り曲げて延在してフックを形成し、前記末端は、前記フック内に固定接続され、前記端子の一側には、溶接構造が設けられ、前記溶接構造と前記フックは、前記導電部材のレンズホルダーへ向かう内側に位置する。
【００１０】
更に、前記接続部、前記固定部、前記折り曲げ部及び前記端子は、一体成形される。
【００１１】
更に、前記枠体は、四角形をなし、周方向に設けられる側板を４つ含み、前記側板の前記基板へ向かう端には、少なくとも１つの窪みが設けられ、前記導電部材は、前記窪み内に固定され、前記窪みは、固定段部と溶接段部を備え、前記固定部は、前記固定段部に取り付けられ、前記端子は、前記溶接段部に位置し、前記溶接構造と前記フックは、前記導電部材が固定される側板の前記レンズホルダーへ向かう内側に位置する。
【００１２】
更に、前記レンズモジュールは、前記ベースにスリーブされるハウジングを更に備え、前記ハウジングは、天壁及び側壁を備え、前記側壁は、前記基板に固定され、前記側板の前記基板から離間する端は、前記天壁に接続されている。
【００１３】
更に、前記導電部材の光軸から離間する外側と、対応する側壁の光軸に近接する内側の間には、ピッチが設けられている。
【００１４】
更に、前記ピッチの範囲は、０．０２ｍｍ〜０．０８ｍｍである。
【発明の効果】
【００１５】
本発明は、下記の有利な作用効果を有する。固定部と端子の間に複数の折り曲げ部が設けられ、端子と固定部が９０度よりも大きい夾角αをなすことにより、導電部材と回路基板との安定的な溶接が保証されつつ、導電部材の光軸方向における高さも低減可能であるため、レンズモジュールの高さは、対応的に低減される。
【図面の簡単な説明】
【００１６】
【図１】本発明の実施例に係るレンズモジュールの立体構造の模式図である。
【図２】本発明の実施例に係るレンズモジュールの爆発構造の模式図である。
【図３】本発明の実施例に係るレンズモジュールからハウジングを除去した立体構造の模式図である。
【図４】本発明の実施例に係るレンズモジュールからハウジングを除去した基板及び回路基板の立体構造の模式図である。
【図５】図４におけるリングＡでの部分拡大模式図である。
【図６】本発明の実施例に係る導電部材の立体構造の模式図である。
【図７】本発明の実施例に係るハウジングの立体構造の模式図である。
【図８】本発明の実施例に係るレンズモジュールから基板及び回路基板を除去した立体構造の模式図である。
【図９】図８におけるリングＢでの部分拡大模式図である。
【発明を実施するための形態】
【００１７】
以下では、図面及び実施形態を参照しながら本発明を更に説明する。。
【００１８】
図１〜９に示すように、本発明の実施例は、レンズモジュール１００を提供する。レンズモジュール１００は、ベース１と、ベース１に固定される、レンズ（図示せず）を有するレンズホルダー２と、レンズホルダー２を支持するための支持ユニット４と、レンズホルダー２がレンズの光軸方向に垂直な方向に沿って運動するように駆動すための形状記憶合金線５と、電気信号を供給するための回路基板３とを備え、レンズホルダー２は、支持ユニット４によってベース１内に吊り下げられ、形状記憶合金線５は、末端５１及び駆動端５２を備え、駆動端５２は、レンズホルダー２に接続され、レンズモジュール１００は、ベース１に固定される導電部材６を更に備え、導電部材６は、ベース１に取り付けられる固定部６１と、固定部６１の一方側に位置して前記形状記憶合金線５の末端５１を接続するための接続部６２と、固定部６１の他方側に位置して回路基板３と電気的に接続するための端子６３と、固定部６１と端子６３の間に接続される複数の折り曲げ部６４とを備え、端子６３と固定部６１とは、夾角α（図示せず）をなし、夾角αが９０度よりも大きい。固定部６１と端子６３の間に折り曲げ部６４が設けられ、端子６３と固定部６１とが９０度よりも大きい夾角αをなすことにより、導電部材６と回路基板３との安定的な溶接が保証されつつ、導電部材６の光軸方向における高さも低減可能であるためため、レンズモジュール１００の高さは、対応的に低減される。
【００１９】
図２〜４を参照すると、ベース１は、基板１１と、基板１１に固定される枠体１２とを備え、基板１１と枠体１２は、共同して、レンズホルダー２を収容するためするための収容空間を形成し、枠体１２は、四角形をなし、周方向に設けられる側板１２１を４つ備え、側板１２１の基板１１へ向かう端には、少なくとも１つの窪み７が設けられ、導電部材６は、窪み７内に固定されている。
【００２０】
図５を参照すると、導電部材６の固定部６１は、レンズの光軸方向に沿って基板１１へ向かって設けられる第１表面６１１を備え、端子６３は、レンズの光軸方向に沿って基板１１へ向かって設けられる第２表面６３２を備え、第１表面６１１と第２表面６３２は、夾角αをなす。
【００２１】
好ましくは、導電部材６は、固定部６１に接続される第１折り曲げ部６４１と、端子６３に接続される第２折り曲げ部６４２とを備え、第１折り曲げ部６４１と第２折り曲げ部６４２の折り曲げ角度が何れも９０度であるため、夾角αは１８０度となり、これによって固定部６１の所在する平面は、端子６３の所在する平面に平行であり、且つレンズの光軸方向に垂直である。導電部材６の全体高さが低減されるとともに、設計が簡単であり、取り付けが便利になる。
【００２２】
好ましくは、固定部６１の基板１１へ向かう面と端子６３の基板１１へ向かう面との間の距離Ｌ１は、０．５ｍｍよりも小さい。本実施例では、距離Ｌ１は、固定部６１の第１表面６１１と端子６３の第２表面６３２との間の距離そのものであり、距離Ｌ１は、０．２５ｍｍとする。導電部材６の全体高さは、低減される。
【００２３】
好ましくは、接続部６２の端子６３から離間する端は、折り曲げて延在してフック６２１を形成し、末端５１は、フック６２１内に固定接続され、端子６３の一側には、溶接構造６３１が設けられ、溶接構造６３１とフック６２１は、導電部材６のレンズホルダー２へ向かう内側に位置する。このように設計すると、形状記憶合金線５を便利に固定すると同時に、効果的に導電部材６を回路基板３に溶接することができる。本実施例では、接続部６２、固定部６１、複数の折り曲げ部６４と端子６３は、一体成形される。
【００２４】
図５と図６を参照すると、窪み７は、固定段部７１及び溶接段部７２を備え、固定部６１は、固定段部７１に取り付けられ、端子６３は、溶接段部７２に位置し、溶接構造６３１とフック６２１は、導電部材６が固定された側板１２１のレンズホルダー２へ向かう内側に位置する。導電部材６は、窪み７内に取り付けられ、形状記憶合金線５及び回路基板３と互いに連携し、更にレンズモジュール１００の全体高さを低減させる。
【００２５】
好ましくは、レンズモジュール１００は、ベース１にスリーブされるハウジング８を更に備え、ハウジング８は、天壁８１及び側壁８２を備え、側壁８２は、基板１１に固定され、側板１２１の基板１１から離間する端は、天壁８１に接続されている。４つの側板１２１を介して天壁８１に接続されることにより、枠体１２は、ハウジング８に対して支持作用を発揮し、ハウジング８が下方移動して枠体１２内の部品を損傷することを回避させる。
【００２６】
好ましくは、導電部材６の光軸から離間する外側と、対応する側壁８２の光軸に近接する内側との間には、ピッチＬ２が設置されている。ピッチの設置により、短絡の発生や、製品の損傷は、回避可能である。
【００２７】
好ましくは、ピッチＬ２の範囲は、０．０２ｍｍ〜０．０８ｍｍである。本実施例では、ピッチＬ２を０．０５ｍｍと設定することにより、導電部材６が記憶合金線を固定するために必要な強度が保証されつつ、短絡の発生も回避される。
【００２８】
上述したのは、本発明の実施形態に過ぎない。ここで、注意すべきことは、当業者であれば、本発明の創造的発想から逸脱しない限り、改良をなすことも可能であり、これらの改良が何れも本発明の保護範囲に含まれる。
【符号の説明】
【００２９】
１００  レンズモジュール、１  ベース、１１  基板、１２  枠体、１２１  側板、２  レンズホルダー、３  回路基板、４  支持ユニット、５  形状記憶合金線、５１  末端、５２  駆動端、６  導電部材、６１  固定部、６１１  第１表面、６２  接続部、６２１  フック、６３  端子、６３１  溶接構造、６３２  第２表面、６４  折り曲げ部、６４１  第１折り曲げ部、６４２  第２折り曲げ部、７  窪み、７１  固定段部、７２  溶接段部、８  ハウジング、８１  天壁、８２  側壁
【図１】
0006919030.tif 000002
【図２】
0006919030.tif 000003
【図３】
0006919030.tif 000004
【図４】
0006919030.tif 000005
【図５】
0006919030.tif 000006
【図６】
0006919030.tif 000007
【図７】
0006919030.tif 000008
【図８】
0006919030.tif 000009
【図９】
0006919030.tif 000010